(57)【特許請求の範囲】
【請求項１】
複数本のスポークバーを備えた一対のリング体が所定間隔をおいて平行に配置されて一体に連結されたドラム本体を備え、該ドラム本体の各スポークバーの先端部に、該スポークバーと同一方向に沿ってサイドバーがそれぞれ着脱自在に取付けられた構成の配線・配管材繰出用ドラムであって、
前記スポークバーの先端部にサイドバー挿入筒が、該スポークバーと同一方向に沿って固着され、前記サイドバー挿入筒にサイドバーの基端部が挿入された状態で、該サイドバーに取付けられた係合片が前記リング体に係合され、付勢手段により前記サイドバーを突出方向に付勢させて、前記係合状態を維持するように構成されていることを特徴とする配線・配管材繰出用ドラム。
【発明の詳細な説明】
【０００１】
【発明の属する技術分野】
本発明は、架台に対して着脱可能に取付けられて、その回転によって、外側に装着されたリング束状の配線・配管材を繰り出すためのドラムに関するものである。
【０００２】
【従来の技術】
上記した配線・配管材繰出用のドラムは、リング束状に巻回された配線・配管材を引っ張って繰り出すのに使用される。従来のドラムは、ドラム本体の両側に、該ドラム本体の外径よりも大きな円板状の側板が着脱可能に取付けられた構成であって、ドラム単体の状態において、一方の側板を取り外して、そのドラム本体の外側に、リング束状に巻回された配線・配管材を装着し、その後に、取り外された側板を再度取付けて、配線・配管材を装着した状態のドラムを架台に取付けていた。
【０００３】
この配線・配管材繰出用のドラムは、３ｍ程の外径を有しているものが多く、このような大きな外径を有する側板の着脱を、新たな配線・配管材を装着する毎に行うのは、極めて大掛かりな作業であった。また、ドラム本体に対する側板の固定は、ボルトを使用している構造のものが多く、この点においても、側板の着脱作業は、面倒で、しかも大変であった。
【０００４】
【発明が解決しようとする課題】
本発明は、大径の側板を備えた従来のドラムの有する上記問題点に鑑み、ドラムに対して新たな配線・配管材を装着する作業を簡単に行えるようにすることを課題としている。
【０００５】
【課題を解決するための手段】
この課題を解決するための請求項１の発明は、複数本のスポークバーを備えた一対のリング体が所定間隔をおいて平行に配置されて一体に連結されたドラム本体を備え、該ドラム本体の各スポークバーの先端部に、該スポークバーと同一方向に沿ってサイドバーがそれぞれ着脱自在に取付けられた構成の配線・配管材繰出用ドラムであって、前記スポークバーの先端部にサイドバー挿入筒が、該スポークバーと同一方向に沿って固着され、前記サイドバー挿入筒にサイドバーの基端部が挿入された状態で、該サイドバーに取付けられた係合片が前記リング体に係合され、付勢手段により前記サイドバーを突出方向に付勢させて、前記係合状態を維持するように構成されていることを特徴としている。
【０００６】
請求項１の発明によれば、スポークバーに対するサイドバーの着脱を、ボルト等の固定具を一切使用することなくワンタッチで行えて、ドラム本体に対する配線・配管材の装着作業が一層簡単になる。
【０００７】
【０００８】
【発明の実施の形態】
以下、実施形態を挙げて、本発明を更に詳細に説明する。図１は、本発明に係る配線・配管材繰出用のドラムＤ1 が架台Ｂ1 に支持された配線・配管材繰出装置Ｅ1 の全体斜視図であり、図２は、同じく正面図であり、図３は、同じく側面図であり、図４は、図３のＸ−Ｘ線拡大断面図であり、図５は、リング束状の配線・配管材Ａの内周側を支持するげた材８の部分の拡大斜視図であり、図６は、ドラムシャフト１の支持部の一部を破断した拡大斜視図であり、図７は、サイドバー２８の部分拡大斜視図である。また、図１ないし図３に示されるように、ドラムＤ1 のドラムシャフト１の両端部は、架台Ｂ1 に設けられた一対の箱軸受２に回転可能に支持されて、ドラムＤ1 は、架台Ｂ1 に着脱可能に支持される。
【０００９】
ドラムＤ1 を構成するドラム本体１０は、図１及び図１３に示されるように、複数本のスポークバー３を備えた一対のリング体４が所定間隔をおいて平行配置されて、周方向に沿った複数箇所において連結バー５（図４及び図５参照）を介して一対のリング体４が一体に連結され、各リング体４の中心部が連結筒６（図４参照）を介して一体に連結され、該連結筒６にドラムシャフト１が挿通嵌合されて、両者が一体化された構成である。リング体４に設けられた複数本のスポークバー３は、該リング体４の半径方向に配置されている。図４に示されるように、連結筒６の両端部には、それぞれフランジ部６ａが一体に設けられて、前記各スポークバー３の基端部は、いずれもリング体４の中心部に集まっていて、前記フランジ部６ａの内側に溶接等により固着されている。なお、図４及び図６において、７は、ドラムシャフト１に対する連結筒６の軸方向に沿った位置を定めるために、該ドラムシャフト１に固定された位置決め体を示す。
【００１０】
また、図５及び図６に詳細に示されているように、一対のリング体４を連結している前記連結バー５は、各スポークバー３とリング体４との固着部の近傍に配置されている。一対のリング体４の各連結部においては、所定間隔をおいた２本の連結バー５が使用され、全ての連結部の部分において、２本の連結バー５の上面にげた材８が配置される。そして、後述するように、一方側のサイドバー２８の全てを取り外した状態で、リング束状の配線・配管材Ａの内側にドラム本体１０が挿入され、該ドラム本体１０の外側（外周側）に配線・配管材Ａが装着された状態において、前記した２本の連結バー５の外側と、配線・配管材Ａとの隙間２０（図５参照）にげた材８が挿入されて、連結バー５と配線・配管材Ａとの間の前記隙間２０が解消されて、ドラムＤ1 の回転により、配線・配管材Ａが繰出し可能になっている。また、連結バー５と配線・配管材Ａとの間に挿入されたげた材８の両端部は、げた材固定具９を介してスポークバー３の先端部の外周面に固定される。即ち、げた材固定具９の本体部１１は、げた材８の外径に対応したリング状をしていて、該本体部１１の接線方向に沿って固定部１２が連設され、該固定部１２に設けられたスリット１２ａに挿通された固定ボルト１３を介してげた材固定具９は、スポークバー３の先端部の外側面に固定される。げた材８は、その両端部がげた材固定具９の本体部１１に嵌合されて、該げた材固定具９を介してドラム本体１０の各スポークバー３に固定される。この構造により、互いに連結された一対のリング体４の外周部には、スポークバー３と同数のげた材８が周方向に沿って等間隔をおいてドラムシャフト１と平行に取付けられ、複数本のげた材８によって、ドラム本体１０の外側に装着されたリング束状の配線・配管材Ａと２本の連結バー５との隙間２０が解消されて、配線・配管材Ａの内周部が複数本のげた材８に支持されて、ドラムＤ1 の回転により、配線・配管材Ａが繰出し可能となる。なお、げた材固定具９の固定部１２がリング状をした本体部１１の接線方向に沿って連設されているのは、後述するサイドバー２８との干渉を回避するためである。
【００１１】
また、図１及び図６において、架台Ｂ1 は、ベース１４の両端部に一対の支柱１５が立設された構成であって、各支柱１５の上端部には、それぞれ箱軸受２が設けられている。この箱軸受２は、上面の全面と、ドラムシャフト１の軸方向に沿った両側板１６の大部分が開口された箱体１７の底部に一対の軸受ローラ１８が配設された構成である。箱軸受２の箱体１７の外側には、ドラムシャフト１の端部を挿入させて、方形枠状の抜止リング１９と共働して前記ドラムシャフト１が上方に抜け出るのを防止するシャフト抜止箱２１が一体に設けられている。このシャフト抜止箱２１は、ドラムシャフト１の軸方向に沿って内側の側板２２を前記箱軸受２の箱体１７と共有していて、その上面が全面開口されており、更に、ドラムシャフト１の軸直角方向に沿った各側板２３の上端面２３ａは、箱軸受２の箱体１７に近付くに従って低くなるように傾斜していると共に、その底板２４には、箱軸受２の箱体１７に近い側が高くなるように形成されていて、シャフト抜止箱２１の外側に嵌め込まれた前記抜止リング１９が該シャフト抜止箱２１から自然に抜け出るのを防止する抜止段差部２５が設けられている。
【００１２】
そして、図６に示されるように、シャフト抜止箱２１にドラムシャフト１の端部が挿入された状態で、該シャフト抜止箱２１の外側に方形枠状の抜止リング１９が嵌め込まれることにより、架台Ｂ1 にドラムＤ1 が支持された状態において、該ドラムＤ1 のドラムシャフト１が箱軸受２から上方に抜け出るのが防止される。しかも、シャフト抜止箱２１を構成する各側板２３の上端面２３ａが上記のように傾斜しているために、該抜止箱２１の外側に嵌め込まれた抜止リング１９は、最も抜けにくい状態である抜止箱２１の最奥部に配置された状態を維持すると同時に、配線・配管材Ａの繰出し時等においてドラムシャフト１が箱軸受２から上方に抜け出ようとした場合には、抜止リング１９も一緒に上方に持ち上げられるために、該抜止リング１９が抜け出る方向に移動しても、シャフト抜止箱２１に設けられた前記抜止段差部２５に引っ掛かって、シャフト抜止箱２１から抜止リング１９が抜け出るのが防止される。
【００１３】
また、ドラム本体１０の各スポークバー３の先端部には、サイドバー２８が該スポークバー３と同一方向に沿って着脱可能に取付けられている。即ち、図５及び図７に示されるように、各スポークバー３の先端部の斜側方には、サイドバー挿入筒２６が該スポークバー３と同一方向に沿って配置固着されている。このサイドバー挿入筒２６は、リング体４の外周に近い側が開口されていて、その内部には、圧縮バネ２７が内装されて、その奥側の部分は、サイドバー挿入筒２６の底板部に固着されて抜け出ない構造になっている。
【００１４】
サイドバー２８は、その基端部が前記サイドバー挿入筒２６に挿通されて、その残りの部分がドラム本体１０の外周面（或いはリング体４の外周部）よりも外方に配置されることにより、ドラム本体１０に装着されたリング束状の配線・配管材Ａが側方に向け出るのを防止する部材である。また、図７及び図１０に示されるように、サイドバー２８の基端部に近い部分には、前記リング体４に対して係合するＬ字状の係合片２９が一体に取付けられている。
【００１５】
このため、Ｌ字状の係合片２９がドラム本体１０の側面と平行となる等のように、該係合片２９とリング体４とが干渉しない位置関係において（図８参照）、そのまま圧縮バネ２７の圧縮力に抗して、係合片２９の全体がリング体４の内側に位置するまで、サイドバー２８を押し付けて、その基端部をサイドバー挿入筒２６に挿通し（図９参照）、その状態で、係合片２９とリング体４とが係合する方向にサイドバー２８を所定角度回動させて、該サイドバー２８に対する押付力Ｆを解除すると、圧縮バネ２７の復元力によりサイドバー２８は、サイドバー挿入筒２６から所定長だけ突出して、その係合片２９とリング体４とが相互に係合して、その状態が維持される（図１０及び図１１参照）。これにより、ドラム本体１０の各スポークバー３の先端部に、それぞれサイドバー２８が該スポークバー３と同一方向に沿って取付けられる。また、スポークバー３からサイドバー２８を取り外すには、上記の逆の操作を順次行えばよい。この構造によって、ドラム本体１０の各スポークバー３にサイドバー２８をワンタッチで着脱できる。
【００１６】
また、げた材固定具９が上記形状になっているために、該固定具９と干渉することなく、サイドバー挿入筒２６にサイドバー２８を挿入可能であることは、上述した通りである。更に、げた材固定具９は、その形状からして、サイドバー挿入筒２６の側に向けては回動可能であるが、サイドバー挿入筒２６にサイドバー２８を挿入した状態では、げた材固定具９のほぼ側方にサイドバー２８が配置されるために、該げた材固定具９の上記方向への回動が防止される。
【００１７】
そして、上記ドラムＤ1 に新たな配線・配管材Ａを装着するには、以下のようにして行う。まず、図１２に示されるように、ドラムＤ1 の一方側の各サイドバー２８を全て取り外す。サイドバー２８の取り外しは、圧縮バネ２７の復元力に抗してサイドバー２８を押し付けることにより、その係合片２９とリング体４との係合を解除し、この状態において、サイドバー２８を９０°以上回動させて、その押付力Ｆを解除すると、サイドバー挿入筒２６からサイドバー２８が取り外される。ドラムＤ1 の外径は、３ｍ程度あって大きいので、上記したサイドバー２８の取り外しは、架台Ｂ1 にドラムＤ1 を支持した状態において、該ドラムＤ1 を所定角度ずつ回動させて、作業者が最も作業し易い位置で行うことが望ましい。なお、サイドバー２８は、ドラム本体１０の半径方向に突出しているので、ドラムＤ1 の運搬・保管時において障害となり易いので、その運搬・保管時には、全てのサイドバー２８を取り外しておくことが望ましい。
【００１８】
次に、シャフト抜止箱２１から抜止リング１９を取り外した後に、ドラムＤ1 を上方に持ち上げることにより、架台Ｂ1 からドラムＤ1 を取り外して、ドラムＤ1 を単体状態にする。そして、図１２に示されるように、リング束状の配線・配管材Ａを吊り上げておいて、該配線・配管材Ａの内側にドラムＤ1 のドラム本体１０を挿入して、ドラム本体１０の外側に配線・配管材Ａを装着する。その後に、ドラム本体１０の配線・配管材Ａを挿入した側の各サイドバー挿入筒２６に、それぞれサイドバー２８を挿入して、ドラム本体１０に対して各サイドバー２８を取付ける（図１３参照）。そして、配線・配管材Ａを装着したドラムＤ1 を吊り上げておいて（図１４参照）、架台Ｂ1 の各箱軸受２にドラムシャフト１の両端部を挿入して支持し、その後に、シャフト抜止箱２１に抜止リング１９を取付けると、各箱軸受２からドラムシャフト１が抜け出ない状態となって、配線・配管材Ａが装着されたドラムＤ1 が架台Ｂ1 に支持される（図１ないし図３参照）。
【００１９】
その後に、ドラムＤ1 の最も低い部分において、ドラム本体１０の一対のリング体４を連結している２本の連結バー５と、配線・配管材Ａとの間に生じている隙間２０にげた材８を挿入して、その両端部をげた材固定具９を介してスポークバー３に固定する。ドラムＤ1 を順次回転させて、全ての連結バー５の部分において、上記と全く同様にして、２本の連結バー５と配線・配管材Ａとの間に隙間２０にげた材８を挿入する。これにより、図１に示されるように、ドラム本体１０に対して配線・配管材Ａが空回転しなくなって、ドラムＤ1 の回転により、配線・配管材Ａが繰り出し可能となる。なお、図１においては、図面の複雑化を避けるために、げた材８を載せている連結バー５は、図示されていない。また、サイドバー２８の取付作業に関しても、配線・配管材Ａが装着されたドラムＤ1 を架台Ｂ1 に支持させた状態で行うことも可能である。いずれにしても、ドラム本体１０の外側に挿入状態で装着された配線・配管材Ａの両側には、それぞれ複数本のサイドバー２８が配置されているため、該配線・配管材Ａの側方への抜け出しが防止される。
【００２０】
引き続いて、本発明の別の実施形態について説明する。配線・配管材が情報鞘管Ａ’である場合には、６本同時に引き出して使用することが多く、本実施形態は、これに対応させたものである。図１５は、架台Ｂ2 にドラムＤ2 を３連状態で支持した繰出装置Ｅ2 の概略斜視図であり、図１６は、架台Ｂ2 にドラムＤ2 が３連状態で支持された繰出装置Ｅ2 を作業トラックＴの荷台３１に相前後して２セット据え付けた状態の斜視図である。図１５に示されるように、架台Ｂ2 は、そのベース３２に４本の支柱３３が立設されて、両端の２本の支柱３３の上端部には、それぞれ第１箱軸受３４が取付けられ、中央の２本の支柱３３の上端部には、両端の支柱３３の第１箱軸受３４と対をなす同一の第１箱軸受３４が同一高さ位置に相対向して取付けられていると共に、各第１箱軸受３４の直下にそれぞれ第２箱軸受３５が相対向して取付けられている。そして、中央の２本の支柱３３に取付けられた各第１箱軸受３４は、それぞれ支柱３３に対して取外し可能に取付けられている。
【００２１】
そして、架台Ｂ2 に３本のドラムＤ2 を取付けるには、中央の２本の支柱３３に取付けられた第１箱軸受３４を取り外しておいて、その直下の一対の第２箱軸受３５にドラムＤ2 のドラムシャフト１の両端を挿入して支持し、次に、中央の２本の各支柱３３の上端部にそれぞれ第１箱軸受３４を取付けた後に、全く同様にして、中央に支持されているドラムＤ2 の両側にそれぞれ別のドラムＤ2 を支持させる。単一のドラムＤ2 の幅は、これを３連にして架台Ｂ2 に支持させた状態において、トラックＴの荷台３１に据付け可能なように定められている。
【００２２】
このため、図１６に示されるように、架台Ｂ2 にドラムＤ2 が３連状態で支持された繰出装置Ｅ2 を作業トラックＴの荷台３１に相前後して２セット据え付けて使用すると、各ドラムＤ2 をトラックＴの荷台３１に載せたままで、６本の情報鞘管Ａ’を同時に引き出すことが可能となる。このため、資材置場等において、トラックＴの荷台３１にドラムＤ2 を３連状態で予め据え付けることができて、施工現場において、各架台を調整して設置する手間が省けて、施工のための準備作業が簡略化される利点がある。
【００２３】
【００２４】
【発明の効果】
本発明に係る配線・配管材繰出用のドラムは、ドラム本体を構成する各スポークバーの先端部にサイドバー挿入筒が、該スポークバーと同一方向に沿ってそれぞれ固着され、前記サイドバー挿入筒にサイドバーの基端部が挿入された状態で、該サイドバーに取付けられた係合片が前記リング体に係合され、付勢手段により前記サイドバーを突出方向に付勢させて、前記係合状態を維持するように構成されているため、スポークバーに対するサイドバーの着脱を、ボルト等の固定具を一切使用することなくワンタッチで行えて、ドラム本体に対する配線・配管材の装着作業が一層簡単になる。
【図面の簡単な説明】
【図１】  本発明に係る配線・配管材繰出用のドラムＤ1 が架台Ｂ1 に支持された繰出装置Ｅ1 の全体斜視図である。
【図２】  同じく正面図である。
【図３】  同じく側面図である。
【図４】  図３のＸ−Ｘ線拡大断面図である。
【図５】  リング束状の配線・配管材Ａの内周側を支持するげた材８の部分の拡大斜視図である。
【図６】  ドラムシャフト１の支持部の一部を破断した拡大斜視図である。
【図７】  サイドバー２８の部分の拡大斜視図である。
【図８】  サイドバー挿入筒２６にサイドバー２８を挿入する前の状態の作用説明図である。
【図９】  サイドバー挿入筒２６にサイドバー２８の基端部が挿入されて、その係合片２９とリング体４とが係合する前の状態の作用説明図である。
【図１０】  サイドバー挿入筒２６にサイドバー２８の基端部が挿入されて、その係合片２９とリング体４とが係合された状態の作用説明図である。
【図１１】  同じく異なる方向（図１０のＹ方向）から見た状態の作用説明図である。
【図１２】  一方側のサイドバー２８が取り外されたドラム本体１０に配線・配管材Ａが装着される状態を示す正面図である。
【図１３】  配線・配管材Ａが装着されたドラム本体１０の一方側にサイドバー２８を取付ける状態を示す斜視図である。
【図１４】  配線・配管材Ａが装着されたドラムＤ1 を吊り下げて、架台Ｂ1 に支持させる状態を示す斜視図である。
【図１５】  架台Ｂ2 にドラムＤ2 が３連状態で支持された繰出装置Ｅ2 の概略斜視図である。
【図１６】  架台Ｂ2 にドラムＤ2 が３連状態で支持された繰出装置Ｅ2 を作業トラックＴの荷台３１に相前後して２セット据え付けた状態の斜視図である。
【符号の説明】
Ａ：配線・配管材
Ａ’：情報鞘管（配線・配管材）
Ｄ1,Ｄ2 ：ドラム
３：スポークバー
４：リング体
１０：ドラム本体
２６：サイドバー挿入筒
２７：圧縮バネ（付勢手段）
２８：サイドバー
２９：係合片
【図１】
0003703650.tif 000002
【図２】
0003703650.tif 000003
【図３】
0003703650.tif 000004
【図４】
0003703650.tif 000005
【図５】
0003703650.tif 000006
【図６】
0003703650.tif 000007
【図７】
0003703650.tif 000008
【図８】
0003703650.tif 000009
【図９】
0003703650.tif 000010
【図１０】
0003703650.tif 000011
【図１１】
0003703650.tif 000012
【図１２】
0003703650.tif 000013
【図１３】
0003703650.tif 000014
【図１４】
0003703650.tif 000015
【図１５】
0003703650.tif 000016
【図１６】
0003703650.tif 000017